(57)【特許請求の範囲】
【請求項１】
カバー（１００）；
前記カバー（１００）の内部に位置し、第１の薬剤が流動する第１のチューブ（２１０）；
前記カバー（１００）の内部に位置し、外部からの圧力により流出される第２の薬剤が収容される貯蔵部（２５０）；
前記貯蔵部（２５０）の両側にそれぞれ連結され、前記流出される第２の薬剤が流動可能な第２のチューブ（２２０）；
前記カバー（１００）の一側に移動可能に位置し、前記移動に応じて前記貯蔵部（２５０）に圧力が加えられたり、解除される加圧部（３００）；及び
前記カバー（１００）の他の側に位置し、その動作に応じて前記加圧部（３００）の移動を規制する規制部（４００）；
を含む、薬剤注入装置。
【請求項２】
前記規制部（４００）は、前記カバー（１００）の他の側に回転可能に位置するロッキングプレート（４１０）及び前記ロッキングプレート（４１０）の一側面において、前記カバー（１００）の一側に向かって延長形成される係止ピン（４１３）を備え、
前記加圧部（３００）は、その一側で前記カバー（１００）の他の側に向かって延長された係止部（３３０）を備え、
前記ロッキングプレート（４１０）の回転方向に応じて前記係止ピン（４１３）が、前記係止部（３３０）と締結されたり、分離されながら、前記加圧部（３００）の移動が規制される、請求項１に記載の薬剤注入装置。
【請求項３】
前記ロッキングプレート（４１０）は、その中央部に位置する安着部（４１２）及び前記安着部（４１２）の内外部を出入り可能なように位置するロッキングピン（４２０）を備える、請求項２に記載の薬剤注入装置。
【請求項４】
前記ロッキングピン（４２０）の位置に応じて前記ロッキングプレート（４１０）の前記回転が規制される、請求項３に記載の薬剤注入装置。
【請求項５】
前記ロッキングピン（４２０）が安着部（４１２）内に位置すると、前記ロッキングプレート（４１０）の回転が防止され、前記ロッキングピン（４２０）が安着部（４１２）の外に位置すると、前記ロッキングプレート（４１０）の回転が許容される、請求項３に記載の薬剤注入装置。
【請求項６】
前記規制部（４００）に結合され、前記規制部（４００）の動作が行われるようにするリリーシング部材（５００）をさらに含む、請求項１に記載の薬剤注入装置。
【請求項７】
前記安着部（４１２）に形成された通孔（４０１）に挿入可能なリリース突起（５０１）を具備するリリーシング部材（５００）をさらに含み、
前記リリーシング部材（５００）が前記規制部（４００）と結合され、前記リリース突起が前記通孔（４０１）を貫通して前記ロッキングピン（４２０）を加圧すると、前記ロッキングピン（４２０）が、前記安着部（４１２）の外に位置され、
前記リリーシング部材（５００）の前記規制部（４００）との結合が解除されると、前記ロッキングピン（４２０）が、前記安着部（４１２）内に位置される、請求項５に記載の薬剤注入装置。
【請求項８】
前記第１のチューブ（２１０）及び前記第２のチューブ（２２０）は、前記カバー（１００）内に直線的に並んで位置する、請求項１に記載の薬剤注入装置。
【請求項９】
前記第１のチューブ（２１０）及び前記第２のチューブ（２２０）のいずれか一つ以上の流路に設置される流量調節装置（２３０）をさらに含む、請求項８に記載の薬剤注入装置。
【請求項１０】
前記第２のチューブ（２２０）の流出方向側に設置されるチェック弁（２４０）をさらに含む、請求項８に記載の薬剤注入装置。
【請求項１１】
前記カバー（１００）の側面に位置する結束部（１６０）をさらに含む、請求項１に記載の薬剤注入装置。
【発明の詳細な説明】
【技術分野】
【０００１】
本発明は、薬剤注入装置に関し、詳しくは、コンパクトな構成で薬剤を用法に合わせて簡単かつ安全に注入可能な薬剤注入装置に関する。
【背景技術】
【０００２】
医療分野において、患者に投与または注入される薬剤は、当然、その用法に応じて投与されなければならず、このような用法中、注入量、注入速度、注入時間などは非常に重要な要素と言える。
【０００３】
特に、患者の手術後に伴う痛みを管理するのに必要な鎮痛剤の投与は非常に重要であるが、手術後の痛みの調節は、手術の結果を判断する一つの尺度となっており、一般的に手術後、痛みが最も深刻な時期は、手術後の７２時間までである。このような手術後の痛みの治療は、すべて手術で解決しなければならない課題である。
【０００４】
そこで、１９９５年に米国疼痛学会では、痛みを第５のＶｉｔａｌ  ｓｉｇｎ（バイタルサイン）にまで規定している。
【０００５】
鎮痛剤として主に使用されるものは筋肉弛緩剤、鎮静剤、鎮痛剤などの痛みを調節するために使用される主な薬物である。痛みを調節するために使用される最も一般的な方法は、患者が痛みを訴えるたびに、上記した薬剤を間欠的に注入することである。
【０００６】
しかし、このような間欠的な投与方法は、均等な痛みの調節が不可能であり、また、少量の薬剤を頻繁に注入することにより、むしろ多量の薬剤を投与することになり、薬剤の種類による副作用である呼吸抑制、過度の鎮静作用、悪心、嘔吐などの胃腸管の問題、尿閉、掻痒症などの症状を引き起こす可能性があり、甚だしい場合、薬物中毒をもたらすこともある。
【０００７】
そこで、上記した間欠的注入方式による痛みの調節よりは、患者自らが薬物を注入するようにした自己調節鎮痛装置などを利用した自己調節鎮痛法（Ｐａｔｉｅｎｔ  Ｃｏｎｔｒｏｌｌｅｄ  Ａｎａｌｇｅｓｉａ：ＰＣＡ）が台頭した。
【０００８】
ＰＣＡによる痛み調節法はＳｅｃｈｚｅｒによって開発され、実用化されており、現在、様々な分野で使用されている。このようなＰＣＡ法は、比較的低い副作用と高い効果を示す薬剤を持続的に注入させながら、患者自身が薬剤投与を直接調節することができる自己調節鎮痛装置であるＰＣＡ  ｉｎｆｕｓｅｒ  ｓｙｓｔｅｍ（またはＰＣＡ  ｐｕｍｐ：連続注入装置）を使用する。
【０００９】
ＰＣＡに適用される薬剤の組み合わせ、初期負荷用量（Ｉｎｉｔｉａｌ  ｌｏａｄｉｎｇ  ｄｏｓｅ）、基底負荷用量（Ｂａｃｋｇｒｏｕｎｄ  ｉｎｆｕｓｉｏｎ  ｒａｔｅ、Ｂａｓａｌ  ｒａｔｅ）、追加注入用量（Ｄｅｍａｎｄ  ｄｏｓｅ、ｂｏｌｕｓ  ｄｏｓｅ）、遮断間隔（Ｌｏｃｋｏｕｔ  ｉｎｔｅｒｖａｌ）などと使用薬剤の組み合わせは、まだ標準化されていないため、さまざまな方法を用いている。
【００１０】
Ｉｎｉｔｉａｌ  ｌｏａｄｉｎｇ  ｄｏｓｅ（初期負荷用量）とは、手術後、最初にＰＣＡシステムを適用したときに投与する薬剤の容量であり、Ｄｅｍａｎｄ  ｄｏｓｅ（追加注入用量）は、患者が痛みを感じる時、自らが追加投与する薬剤の設定された容量である。Ｌｏｃｋｏｕｔ  ｉｎｔｅｒｖａｌ（遮断間隔）は追加注入用量を投与した後、次は再度追加注入用量を投与することができるまでの薬剤投与を遮断する時間間隔であり、過量の注入を防止するために設定される時間である。Ｂａｃｋｇｒｏｕｎｄ  ｉｎｆｕｓｉｏｎ  ｒａｔｅ（基底負荷用量）は追加注入用量に関係なく、常に一定量が一定速度で投与される薬剤の量である。
【００１１】
ＰＣＡによる痛みの治療法が間欠的注入による痛みの治療法より副作用の頻度及び程度が低いとはいえ、これも副作用の可能性があるので、患者の状態に応じた薬剤の選択や基底負荷用量と追加注入用量の容量決定が重要であり、特に、追加注入用量投与後、遮断間隔の管理が非常に重要である。
【００１２】
したがって、最近では、上記したＰＣＡ法の各種因子を制御するために電子制御装置をポンプに設置することによりＰＣＡ法を実施するが、これは装置の大型化や患者の状態に応じて迅速かつ柔軟な対応が困難であるという問題がある。
【００１３】
一例として、韓国特許公開公報第２０１４−０００５１８２号には、ＰＣＡ法に使用される注入装置が開示されるが、これは追加注入用量の注入時に発生する気泡発生の抑制及び貯蔵された追加注入用量の注入時に追加薬剤の流入が起こらないように制御することであり、上記ＰＣＡ法の各因子を効率的に制御することは依然として解決すべき問題であると言える。
【先行技術文献】
【特許文献】
【００１４】
【特許文献１】韓国特許公開公報第２０１４−０００５１８２号公報
【発明の概要】
【発明が解決しようとする課題】
【００１５】
そこで、本発明は、上記した従来技術の問題点に着目し、これを解決するために案出されたものであり、本発明は、患者に投与される薬物をその用法に応じて簡単かつ迅速に注入可能でありながら、確実な遮断時間を確保して、連続注入などによる副作用の危険性を防ぐ装置を提供することにその目的がある。
【課題を解決するための手段】
【００１６】
上記した目的を達成するために、本発明は、カバー；上記カバーの内部に位置し、第１の薬剤が流動する第１のチューブ；上記カバーの内部に位置し、外部からの圧力により流出される第２の薬剤が収容される貯蔵部；上記貯蔵部の両側にそれぞれ連結され、上記流出される第２の薬剤が流動可能な第２のチューブ；上記カバーの一側に移動可能に位置し、上記移動に応じて、上記貯蔵部に圧力が加えられたり、解除される加圧部；及び上記カバーの他の側に位置し、その動作に応じて上記加圧部の移動を規制する規制部；を含む薬剤注入装置を提供する。
【００１７】
上記規制部は、上記カバーの他の側に回転可能に位置するロッキングプレート及び上記ロッキングプレートの一側面において、上記カバーの一側に向かって延長形成される係止ピンを備え、上記加圧部は、一側で上記カバーの一側に向かって延長される係止部を備え、上記ロッキングプレートの回転方向に応じて上記係止ピンが上記係止部と締結されたり分離されながら、上記加圧部の移動が規制されることが望ましい。
【００１８】
上記ロッキングプレートは、その中央部に位置する安着部及び上記安着部の内外部を出入り可能に位置することが望ましい。
【００１９】
上記ロッキングピンの位置に応じて上記ロッキングプレートの上記回転が規制されることが望ましい。
【００２０】
上記ロッキングピンが安着部内に位置すると、上記ロッキングプレートの回転が防止され、上記ロッキングピンが安着部の外に位置すると、上記ロッキングプレートの回転が許容されることが望ましい。
【００２１】
上記規制部に結合され、上記規制部の動作が行われるようにするリリーシング部材をさらに含むことが望ましい。
【００２２】
上記安着部に形成された通孔に挿入可能なリリース突起を備えるリリーシング部材をさらに含み、上記リリーシング部材が上記規制部と結合され、上記リリース突起が上記通孔を貫通して上記ロッキングピンを加圧すると、上記ロッキングピンが、上記安着部の外の位置され、上記リリーシング部材の上記規制部との結合が解除されると、上記ロッキングピンが、上記安着部内に位置されることが望ましい。
【００２３】
上記第１のチューブ及び上記第２のチューブは、上記カバー内に直線的に並んで位置することが望ましい。
【００２４】
上記第１のチューブ及び上記第２のチューブのいずれか一つ以上の流路に設置される流量調節装置をさらに含むことが望ましい。
【００２５】
上記第２のチューブの上記流出方向側に設置されるチェック弁をさらに含むことが望ましい。
【００２６】
上記カバーの一側に位置する結束部をさらに含むことが望ましい。
【発明の効果】
【００２７】
上記のように、本発明に係る薬剤注入装置によれば、コンパクトな構成により、薬剤供給部に連結するだけで手軽に使用及び薬剤の用法に応じた制御が可能であり、操作が便利で、患者の状態に応じて迅速に薬剤を注入することができる。
【００２８】
また、薬剤の用法による注入の危険性を効果的に防止することができる。
【図面の簡単な説明】
【００２９】
【図１】本発明の一実施形態による薬剤注入装置の全体斜視図である。
【図２】本発明の一実施形態による薬剤注入装置の分解斜視図である。
【図３】本発明の一実施形態による薬剤注入装置の一構成である各チューブ１１０，１２０、及び貯蔵部２５０の分解斜視図である。
【図４】本発明の一実施形態による薬剤注入装置の一構成である加圧部の斜視図であり、上部（図４ａ）及び下部（図４ｂ）からそれぞれ見た全体斜視図である。
【図５】本発明の一実施形態による薬剤注入装置の一構成である下部カバー１２０の一側を上部（図４ａ）及び下部（図４ｂ）からそれぞれ見た平面図及び底面図である。
【図６】本発明の一実施形態による薬剤注入装置の一構成である規制部４００のロッキングプレート４１０の一側を上部（図４ａ）及び下部（図４ｂ）からそれぞれ見た平面図及び底面図である。
【図７】図１のＡ―Ａ’線に沿った断面図である。
【図８】図１のＢ―Ｂ’線に沿った断面図である。
【発明を実施するための形態】
【００３０】
本発明の上記のような目的、特徴及び他の利点は、添付図面を参照し、本発明の好ましい実施形態を詳細に説明することにより、より一層明らかになるだろう。この過程で、図面に示された線の太さや構成要素の大きさなどは、説明の明瞭性と便宜上誇張して図示されることがある。また、後述される用語は、本発明での機能を考慮して定義された用語であり、これは、ユーザー、運用者の意図または慣例によって異なることがある。したがって、このような用語に関する定義は、本明細書の全般にわたる内容に基づいて記述されなければならない。
【００３１】
また、記述される実施形態は、発明の説明のために例示的に提供されるものであり、本発明の技術的範囲を限定するものではない。
【００３２】
本発明に係る薬剤注入装置を構成する各構成要素は、必要に応じて一体型に使用されたり、それぞれ分離して使用することができる。また、使用形態に応じて、一部の構成要素を省略して使用が可能である。
【００３３】
以下、図１〜図８を参照し、本発明の一実施形態による薬剤注入装置を説明すると、次の通りである。
【００３４】
本発明の一実施形態による薬剤注入装置は、図１及び図２に示すように、カバー１００、第１、第２のチューブ２１０，２２０、貯蔵部２５０、加圧部３００、規制部４００及びリリーシング部材５００を含むことができる。
【００３５】
カバー１００は、薬剤注入装置の外観をなし、好ましくは、上部カバー１１０及び下部カバー１２０からなり、上部カバー１１０の外周面に沿って多数個が形成された締結溝１１１と下部カバー１２０の内周面に沿って多数個が形成された締結突起１２１が、スナップ方式で締結されることにより、その内部に所定の空間を形成し結合され、さらに上部カバー１１０の一側を貫通して下部カバー１２０の内側に連結されるカバー固定部材１１９によって結合することができる。
【００３６】
第１のチューブ２１０は、カバー１００の内側で長さ方向に位置し、第１のチューブ２１０の一側を介して第１の薬剤が流入して他の側に流出される。
【００３７】
第２のチューブ２２０は、カバー１００の内側で長さ方向に位置する。
【００３８】
貯蔵部２５０は、両側がそれぞれ第２のチューブ２２０と連結され、カバー１００の内部に位置し、好ましくは、下部カバー１２０の内側に設けられた貯蔵部支持体１５０によって支持されてカバー１００の内部に固定されてもよい。
【００３９】
すなわち、第１のチューブ２１０及び第２のチューブ２２０は、カバー１００の内側に長さ方向に並んで収容されるように位置し、好ましくは、各チューブ２１０，２２０の両端がそれぞれＹ連結管２６０の分岐部分にそれぞれ連結されることにより、各チューブ２１０，２２０がカバー１００の内部に並んで配置されてもよい。
【００４０】
貯蔵部２５０の内部には、所定のスペースが設けられ、第２の薬剤が収容され、収容された第２の薬剤は、貯蔵部２５０に加えられる圧力によって貯蔵部２５０から流出され、第２のチューブ２２０を介して流出される。
【００４１】
第１の薬剤及び第２の薬剤は、限定されないが、一例として、第１の薬剤は、上記のように、継続的な投与を必要とする薬剤として、上記した基底負荷用量によって投与される痛み調節用薬剤であり、第２の薬剤は、患者が痛みを感じる時、自分で追加投与する予め設定された追加注入用量に応じた１回分の注入が一度に行われる痛み調節用薬剤であってもよい。
【００４２】
このような薬剤注入器具の場合、上記した第２の薬剤が貯蔵される貯蔵部２５０は、その制御のために、患者から遠く離れて個別に配置されるのが一般的なので、患者の状況に応じた迅速な対処が困難な場合があるが、本発明による薬剤注入装置は、コンパクトなカバー内部に、第１のチューブ２１０、第２のチューブ２２０及び貯蔵部２５０を備えることにより、薬剤供給部図示せずに、上記各チューブ２１０，２２０を連結するだけで簡単に使用及び制御が可能であり、好ましくはカバー１００の一側に位置する結束部１６０にベルト等の部材を結束させ、患者の身体に便利に付着させてもよい。
【００４３】
一方、図３に示すように、各チューブ２１０，２２０の流路上には流動する薬剤の流量を調節するための流量調節装置２３０が備えられる。
【００４４】
流量調節装置２３０は、図示したように、各チューブ２１０，２２０の一側と連結されるガラスチューブ２３１及びガラスチューブ２３１と各チューブ２１０，２２０との連結を容易にし、ガラスチューブ２３１を支持するようにガラスチューブ２３１の周りを包み込む支持体２３２を備える。ガラスチューブ２３１の内径を調節することにより、各チューブ２１０，２２０を流動する各薬剤の流量を調節することができる。
【００４５】
第２のチューブ２２０の貯蔵部２５０の一側、具体的には、貯蔵部２５０から流出される第２の薬剤の流出方向にはチェック弁２４０が設置されることにより、第２のチューブ２２０の流入側を介して貯蔵部２５０に流入される薬剤が貯蔵部２５０に満たされる前に流出側に流出して患者に投与されることを防止し、貯蔵部２５０に第２の薬剤が満たされた後にも、貯蔵部２５０に一定の圧力が加えられたときにのみ、第２の薬剤が貯蔵部２５０から流出され、第２のチューブ２２０を介して流出されるようにする。
【００４６】
加圧部３００は、カバーの一側に移動可能なように位置することにより、移動によってカバー１００の内部に位置する貯蔵部２５０に圧力を加えたり、解除することができる。
【００４７】
加圧部３００の構成は、カバー１００の一側で上記貯蔵部２５０に収容された第２の薬剤が流出されるように圧力を加えることができる手段であれば足りる。
【００４８】
具体的には、図２及び図４に示すように、その一側に位置するヒンジ開口部３２２が上部カバー１１０を貫通し、下部カバー１２０の内部の一側に位置するヒンジ部材１２２に締結されることにより、上記締結部分を中心にヒンジ運動が可能なように配置され、加圧部３００のカバー１００側の面には突出した加圧部材３１３が位置し、加圧部３００がカバー１００の加圧部３００側に開放された加圧窓１１３を通じて、加圧部３００のヒンジ運動によって貯蔵部２５０に圧力を加えたり、解除することができる。
【００４９】
さらに、加圧部３００の一側には、上記加圧窓１１３を通じて貯蔵部２５０に収容された第２の薬剤を確認できるように透明な素材からなる薬剤表示窓３２０を備えることができる。
【００５０】
これにより、ユーザーは、加圧部３００を手で加圧する簡単な動作で、第２の薬剤を迅速に流出させて注入することができる。ただし、上記した第２の薬剤の種類に応じて、その用法が難しい場合や、投薬の時期などによる副作用や危険性がある場合は、上記のように簡単に第２の薬剤の注入が行われることが危険なことがあるが、これを規制するための手段として規制部４００が備えられる。
【００５１】
規制部４００は、下部カバー１２０の一側に位置し、下部カバー１２０側で加圧部３００の移動を規制する規制手段を備えて加圧部３００の移動を規制する手段である。
【００５２】
具体的には、規制部４００は、ロッキングプレート４１０、係止ピン４１３及びロッキングピン４２０を備えることができる。
【００５３】
図２、図５及び図６に示すように、ロッキングプレート４１０は、中心軸の付近に位置する結合部材４１１及び下部カバー１２０の一側に位置する結合溝１３１を介して、好ましくは、スナップ方式で回転可能に結合される。
【００５４】
ロッキングプレート４１０の中心軸の付近、具体的には、上記結合部材４１１の内側には、所定空間の安着部４１２が設けられ、このような安着部４１２の内外を出入り可能なように位置するロッキングピン４２０が具備され、また、ロッキングピン４２０は、回転しないように固定され、ロッキングピン４２０と上記下部カバー１２０との間には、ロッキングピン４２０を弾性支持する弾性部材４３０が位置することができる。
【００５５】
安着部の長さ方向の両端部には、その内側に向けて突出形成された規制突起４１５が位置し、ロッキングプレート４１０の回転に応じて上記ロッキングピン４２０の両端部が規制突起４１５の両側に位置することができる。また、安着部４１２の下部面には、通孔４０１が形成される。
【００５６】
係止ピン４１３は、ロッキングプレート４１０の下部カバー１２０の側面で下部カバー１２０に向けて延長形成され、このような係止ピン４１３が下部カバー１２０に形成された通孔１３３を貫通してカバーの内側に位置し、ロッキングプレート４１０の回転に応じて移動し、加圧部３００の上部カバー１１０の側面で上部カバー１１０に向けて延長形成されて上部カバー１１０を貫通して位置する係止部３３０に締結されたり、分離されることにより加圧部３００のヒンジ運動が防止されたり、許可されるようにして加圧部３００の動作を規制する。
【００５７】
リリーシング部材５００は、その一側に位置するリリース突起５０１及びリリース突起５０１の周り付近に位置する挿入突起５０２を含む。
【００５８】
リリーシング部材５００は、上記規制部４００に結合されて回転することにより、ロッキングプレート４１０の回転動作が行われるようにする。
【００５９】
リリーシング突起は、好ましくは、リリーシング部材５００の一側の中央部に位置し、リリーシング部材５００の規制部４００の結合時に上記ロッキングプレート４１０の安着部に形成された通孔を介して挿入されることによりロッキングピン４２０が安着部４１２の外部に移動するように加圧することになる（図８を参照）。
【００６０】
挿入突起５０２は、リリーシング部材５００の規制部４００の結合時に、ロッキングプレート４１０の下部カバー１２０の反対側面に位置する溝に挿入されてリリーシング部材５００の回転に応じてロッキングプレート４１０の回転が行われるようにする（図７を参照）。
【００６１】
次に、本発明に係る薬剤注入装置の作用を説明する。
【００６２】
図１及び図７及び図８に示すように、加圧部３００が上部カバー１１０に密着され、係止ピン４１３が係止部３３０に結合した状態で加圧部３００の動きが制限された状態で、第１のチューブ２１０を介して第１の薬剤が継続的に流入される。また、加圧部３００に位置する加圧部材３１３によって貯蔵部２５０が加圧部３００と下部カバー１２０との間で圧着した状態で維持されるので、第２の薬剤が第２のチューブ２２０を介して貯蔵部２５０に流入されて貯蔵されることがない。
【００６３】
また、この状態では、定着部に位置した規制突起にロッキングピン４２０がかかるようになってロッキングプレート４１０の回転が防止される。すなわち、手や他のツールを使用してロッキングプレート４１０を無理に回転させて加圧部２５０を動作させることができない。
【００６４】
この状態で、第２の薬剤の注入が必要な場合、図８に示すように、リリーシング部材５００を規制部４００に結合することにより、リリース突起５０１が安着部に形成された通孔を貫通することにより、ロッキングピン４２０を加圧してロッキングピン４２０が安着部の外部に離脱するようになる。
【００６５】
したがって、ロッキングピン４２０と規制突起によって維持されたロッキングプレート４１０の固定が解除され、回転動作が許可される状態となり、この状態でリリーシング部材５００を回転させると、ロッキングプレート４１０の溝に挿入された挿入突起５０２が移動することにより、ロッキングプレート４１０が回転し、したがって、係止ピン４１３が移動して係止部３３０から離脱し、加圧部３００が上下にヒンジ運動が可能な状態になる。
【００６６】
したがって、第２のチューブ２２０の流入側を通じて第２の薬剤が流入して貯蔵部に流入されて貯蔵され、第２の薬剤の貯蔵中に、上記のように、第２のチューブ２２０の流出側に位置するチェック弁２４０によって第２の薬剤の流出が防止される。
【００６７】
貯蔵部２５０に第２の薬剤が完全に充填されたことを薬剤表示窓３２０を通じて確認した後、加圧部３００を加圧して貯蔵部２５０に圧力を加えることにより貯蔵部２５０に収容された第２薬剤がチェック弁２４０の通過圧力を超えて流出して患者に注入される。
【００６８】
上記のように、リリーシング部材５００によってのみ加圧部３００の動作が許可され、第２の薬剤の注入が可能になる。すなわち、リリーシング部材５００が一種の鍵の機能をする。
【００６９】
したがって、第２の薬剤の注入後、上記したリリーシング部材５００を医療従事者（医師、看護師など）に管理させることにより、上記した第２の薬剤の投与及び遮断間隔の安全な管理が行われるようにして第２の薬剤の誤用による危険を防止することができる。
【００７０】
上記のように、本発明に係る薬剤注入装置によれば、コンパクトなカバー内部に第１のチューブ、第２のチューブ及び貯蔵部を備えることにより、薬剤供給部に上記各チューブを連結するだけで手軽に使用が可能である。
【００７１】
また、加圧部を手で加圧する簡単な動作で、第２の薬剤を迅速に流出させて注入することができ、また、第２の薬剤の投入の用法不備に起因する副作用の危険性を効果的に防止することができる。
【００７２】
以上で、本発明の好適な実施形態について説明したが、本発明は、上述した特定の実施形態に限定されない。すなわち、本発明が属する技術分野において通常の知識を有する者であれば、添付された特許請求の範囲の思想及びカテゴリを逸脱することなく、本発明に対する多数の変更及び修正が可能であり、そのようなすべての適切な変更及び修正の均等物も、本発明の範囲に属するものとみなされるべきである。
【図１】
0006507430.tif 000002
【図２】
0006507430.tif 000003
【図３】
0006507430.tif 000004
【図４（ａ）】
0006507430.tif 000005
【図４（ｂ）】
0006507430.tif 000006
【図５（ａ）】
0006507430.tif 000007
【図５（ｂ）】
0006507430.tif 000008
【図６（ａ）】
0006507430.tif 000009
【図６（ｂ）】
0006507430.tif 000010
【図７】
0006507430.tif 000011
【図８】
0006507430.tif 000012